(57)【特許請求の範囲】
【請求項１】
流体を計量して分配する装置（１０１）であって、
流体を収容するように配置された貯留部（２）と、
流体を分配方向（１０）に案内するように配置された分配管（８）と、
前記貯留部を前記分配管に繋ぐ分配開口（１０５）と、
開いた状態では、前記分配開口（１０５）を介して、流体を前記貯留部（２）の内部から前記分配管（８）に流れさせ、閉じた状態では、流体を前記貯留部（２）の内部から前記分配管（８）に流れさせない分配弁（５）と、
前記分配弁（５）を開いた状態から閉じた状態に戻すように、前記分配弁（５）に力を作用させるように配置された戻し手段（２９）と、を備え、
前記戻し手段（２９）は、空洞（１０７）を形成するポーチ（１０６）を備えており、
前記ポーチは、前記分配管（８）中に設けられており、前記ポーチは、前記分配弁が開いた状態のときに、圧縮によって変形され、
前記ポーチは、前記空洞の外縁（１１２）によって境界が定められた開口によって一方の側に開口しており、
前記分配弁が閉じた状態では、前記空洞の外縁（１１２）が前記分配管の第１の内壁（１０８）に対して押しつけられており、また
前記分配弁が閉じた状態では、前記ポーチが前記分配管の第２の内壁（１０９）に対して圧縮されており、
前記分配弁が開いた状態では、前記ポーチ（１０６）の前記空洞の外縁（１１２）が、それぞれ前記分配管の第１の内壁から離れるように動くことを特徴とする装置。
【請求項２】
前記第１の内壁（１０８）は、前記分配開口の外周部（１１６）を備えており、
前記分配弁が閉じた状態では、前記空洞の外縁（１１２）が、前記分配開口（１０５）の外周部（１１６）の一部分又は全体に接触するか、又は、前記分配開口（１０５）の外周部（１１６）の一部分又は全体を取り囲み、
前記分配弁が開いた状態及び閉じた状態で、前記ポーチが前記分配管の第２の内壁（１０９）に対して圧縮されており、
前記分配弁が開いた状態では、前記空洞の外縁（１１２）が、前記分配開口（１０５）から離れるように動く、ことを特徴とする請求項１に記載の装置。
【請求項３】
流体を計量して分配する装置（１０２）であって、
流体を収容するように配置された貯留部（２）と、
流体を分配方向（１０）に案内するように配置された分配管（８）と、
前記貯留部を前記分配管に繋ぐ分配開口（１０５）と、
開いた状態では、前記分配開口（１０５）を介して、流体を前記貯留部（２）の内部から前記分配管（８）に流れさせ、閉じた状態では、流体を前記貯留部（２）の内部から前記分配管（８）に流れさせない分配弁（５）と、
前記分配弁（５）を開いた状態から閉じた状態に戻すように、前記分配弁（５）に力を作用させるように配置された戻し手段（２９）と、を備え、
前記戻し手段（２９）は、空洞（１０７）を形成するポーチ（１０６）を備えており、
前記ポーチは、前記分配管（８）中に設けられており、前記ポーチは、前記分配弁が開いた状態のときに、圧縮によって変形され、
前記ポーチは、前記空洞の外縁（１１２）によって境界が定められた開口によって一方の側に開口しており、
前記分配弁が閉じた状態では、前記ポーチは前記分配管の第１の内壁（１０８）に対して圧縮されており、また
前記分配弁が閉じた状態では、前記ポーチの底（１１３）が前記分配管の第２の内壁（１０９）に対して平坦に押しつけられており、
前記分配弁が開いた状態では、前記ポーチの底は前記分配管の第２の内壁から離れるように動く、ことを特徴とする装置。
【請求項４】
前記第２の内壁（１０９）は、前記分配開口の外周部（１１６）を備えており、
前記分配弁が開いた状態及び閉じた状態では、前記空洞の外縁（１１２）は、前記第１の内壁（１０８）に接触しており、
前記分配弁が閉じた状態では、前記ポーチの底（１１３）は、前記分配開口（１０５）に対して静止しており、
前記分配弁が開いた状態では、前記ポーチの底（１１３）が、前記分配開口（１０５）から離れるように動く、ことを特徴とする請求項３に記載の装置。
【請求項５】
前記ポーチの底（１１３）及び前記ポーチのその他の部分は、２種類の異なる材料で形成されており、前記ポーチの底（１１３）は前記ポーチのその他の部分よりも固い材料で形成されていることを特徴とする請求項４に記載の装置。
【請求項６】
流体を計量して分配する装置（１０４）であって、
流体を収容するように配置された貯留部（２）と、
流体を分配方向（１０）に案内するように配置された分配管（８）と、
前記貯留部を前記分配管に繋ぐ分配開口（１０５）と、
開いた状態では、前記分配開口（１０５）を介して、流体を前記貯留部（２）の内部から前記分配管（８）に流れさせ、閉じた状態では、流体を前記貯留部（２）の内部から前記分配管（８）に流れさせない分配弁（５）と、
前記分配弁（５）を開いた状態から閉じた状態に戻すように、前記分配弁（５）に力を作用させるように配置された戻し手段（２９）と、を備え、
前記戻し手段（２９）は、空洞（１０７）を形成するポーチ（１０６）を備えており、
前記ポーチは、前記分配管（８）中に設けられており、前記ポーチは、前記分配弁が開いた状態のときに、圧縮によって変形され、
前記分配弁（５）は、分配膜（９）を備え、前記ポーチは、１つの平面において、その内部で前記空洞（１０７）の境界が定められた閉ループを形成し、
前記分配弁（５）が閉じた状態では、前記分配膜（９）又は前記ループの第１の側（１１７）が、前記分配開口を塞ぐように前記分配管の第１の内壁（１１０）に対して平坦に押しつけられており、
前記分配弁（５）が開いた状態及び閉じた状態では、前記ポーチは前記分配管の第２の内壁（１１１）に圧縮されており、また
前記分配弁（５）が開いた状態では、前記ループの第１の側（１１７）が、前記分配管の第１の内壁（１１０）から離れるように動く、ことを特徴とする装置。
【請求項７】
前記第１の内壁（１１０）は、前記分配開口の外周部（１１６）を備えており、
前記分配弁（５）が閉じた状態では、前記ループの第１の側（１１７）は、流体が前記貯留部と前記分配管の間を流れることなく、前記分配開口（１０５）に対して平坦に押しつけられており、
前記分配弁（５）が開いた状態では、流体が前記貯留部と前記分配管の間を流れることを可能にするために、前記ループの第１の側（１１７）が、前記分配開口（１０５）から離れるように動く、ことを特徴とする請求項６に記載の装置。
【請求項８】
前記分配弁が開いた状態のときに、前記ポーチが、前記分配方向に対して垂直に圧縮されることによって変形されることを特徴とする請求項１乃至７のいずれか一項に記載の装置。
【請求項９】
前記ポーチは、前記ポーチよりも固く、前記分配方向（１０）に延びた補強部材（１１９）に強固に固定されていることを特徴とする請求項１乃至８のいずれか一項に記載の装置。
【発明の詳細な説明】
【技術分野】
【０００１】
本発明は、戻し手段が設けられた弁を備えた流体を計量して分配する装置に関する。
本発明の技術分野は、石鹸、化粧品、又はその他の薬品を大量に又は少量に計量し分配するための装置、例えば、壁に取り付けられ大量の石鹸を分配するための装置や、あるいは少量の化粧品を分配するための試供品型装置に限定されるものではない。
【背景技術】
【０００２】
例えば、文献FR2962986に記載され、弁を備えた、流体を分配するための装置が知られている。
そのような装置は、弁を閉じた状態に戻すように、その弁が戻し力によって支配されるように配置された戻し手段を備えることができ、その戻し手段はばねとして作用する弾性を有する舌状片を備えている。そのような戻し手段を備えた装置の漏れに対する密閉性は、大幅に改善されている。
【発明の概要】
【発明が解決しようとする課題】
【０００３】
しかしながら、漏れに対する密閉性はさらに改良されてもよい。
本発明の目的は、このような装置の漏れに対する密閉性をさらに改良することにある。
【課題を解決するための手段】
【０００４】
この目的は、以下の流体を計量して分配する装置によって達成され、この装置は、
流体を収容するように配置された貯留部と、
流体を分配方向に案内するように配置された分配管と、
前記貯留部を前記分配管に繋ぐ分配開口と、
開いた状態では、前記分配開口を介して、流体を前記貯留部の内部から前記分配管に流れさせ、閉じた状態では、流体を前記貯留部の内部から前記分配管に流れさせない分配弁と、
前記分配弁を開いた状態から閉じた状態に戻すように、前記分配弁に力を作用させるように配置された戻し手段と、を備え、
前記戻し手段は、空洞を形成するポーチを備えており、
前記ポーチは、前記分配管中に設けられており、前記ポーチは、前記分配弁が開いた状態のときに、圧縮によって変形され、
前記ポーチは、前記空洞の外縁によって境界が定められた開口によって一方の側に開口しており、
前記分配弁が閉じた状態では、前記空洞の外縁が前記分配管の第１の内壁に対して押しつけられており、また
前記分配弁が閉じた状態では、前記ポーチが前記分配管の第２の内壁に対して圧縮されており、
前記分配弁が開いた状態では、前記ポーチの前記空洞の外縁が、それぞれ前記分配管の第１の内壁から離れるように動くことを特徴とする。
【０００７】
前記第１の内壁は、前記分配開口の外周部を備えており、
前記分配弁が閉じた状態では、前記空洞の外縁が、前記分配開口の外周部の一部分又は全体に接触するか、又は、前記分配開口の外周部の一部分又は全体を取り囲み、
前記分配弁が開いた状態及び閉じた状態で、前記ポーチが前記分配管の第２の内壁に対して圧縮されており、
前記分配弁が開いた状態では、前記空洞の外縁が、前記分配開口から離れるように動く、
ように構成してもよい。
【０００８】
この装置は、流体を収容するように配置された貯留部と、
流体を分配方向に案内するように配置された分配管と、
前記貯留部を前記分配管に繋ぐ分配開口と、
開いた状態では、前記分配開口を介して、流体を前記貯留部の内部から前記分配管に流れさせ、閉じた状態では、流体を前記貯留部の内部から前記分配管に流れさせない分配弁と、
前記分配弁を開いた状態から閉じた状態に戻すように、前記分配弁に力を作用させるように配置された戻し手段と、を備え、
前記戻し手段は、空洞を形成するポーチを備えており、
前記ポーチは、前記分配管中に設けられており、前記ポーチは、前記分配弁が開いた状態のときに、圧縮によって変形され、
前記ポーチは、前記空洞の外縁によって境界が定められた開口によって一方の側に開口しており、
前記分配弁が閉じた状態では、前記ポーチは前記分配管の第１の内壁に対して圧縮されており、また
前記分配弁が閉じた状態では、前記ポーチの底が前記分配管の第２の内壁に対して平坦に押しつけられており、
前記分配弁が開いた状態では、前記ポーチの底は前記分配管の第２の内壁から離れるように動く、ことを特徴とする。
この場合、前記第２の内壁は、前記分配開口の外周部を備えており、
前記分配弁が開いた状態及び閉じた状態では、前記空洞の外縁は、前記第１の内壁に接触しており、
前記分配弁が閉じた状態では、前記ポーチの底は、前記分配開口に対して静止しており、
前記分配弁が開いた状態では、前記ポーチの底が、前記分配開口から離れるように動くように構成してもよい。
【０００９】
前記ポーチの底及び前記ポーチのその他の部分は、２種類の異なる材料で形成されており、前記ポーチの底は前記ポーチのその他の部分よりも固い材料で形成されているように構成してもよい。
【００１０】
この装置は、流体を収容するように配置された貯留部と、
流体を分配方向に案内するように配置された分配管と、
前記貯留部を前記分配管に繋ぐ分配開口と、
開いた状態では、前記分配開口を介して、流体を前記貯留部の内部から前記分配管に流れさせ、閉じた状態では、流体を前記貯留部の内部から前記分配管に流れさせない分配弁と、
前記分配弁を開いた状態から閉じた状態に戻すように、前記分配弁に力を作用させるように配置された戻し手段と、を備え、
前記戻し手段は、空洞を形成するポーチを備えており、
前記ポーチは、前記分配管中に設けられており、前記ポーチは、前記分配弁が開いた状態のときに、圧縮によって変形され、
前記分配弁は、分配膜を備え、前記ポーチは、１つの平面において、その内部で前記空洞の境界が定められた閉ループを形成し、
前記分配弁が閉じた状態では、前記分配膜又は前記ループの第１の側が、前記分配開口を塞ぐように前記分配管の第１の内壁に対して平坦に押しつけられており、
前記分配弁が開いた状態及び閉じた状態では、前記ポーチは前記分配管の第２の内壁に圧縮されており、また
前記分配弁が開いた状態では、前記ループの第１の側が、前記分配管の第１の内壁から離れるように動く、ように構成してもよい。
【００１１】
この場合、前記第１の内壁は、前記分配開口の外周部を備えており、
閉じた状態では、前記ループの第１の側は、流体が前記貯留部と前記分配管の間を流れないように、前記分配開口に対して平坦に押しつけられており、
前記分配弁が開いた状態では、流体が前記貯留部と前記分配管の間を流れることを可能にするために、前記ループの第１の側が、（前記分配弁の閉じた状態に対して）、前記分配開口から離れるように動く、
ようにているように構成してもよい。
【００１２】
前記分配弁が開いた状態のときに、前記ポーチが、前記分配方向に対して垂直に圧縮されることによって変形されることが好ましい。
【００１３】
前記ポーチは、前記ポーチよりも固く、前記分配方向に延びた補強部材に強固に固定されているように構成してもよい。
【図面の簡単な説明】
【００１５】
【図１】本発明の第１実施形態に係る装置１０１を示す側部断面図。
【図２】図１に示す第１実施形態に係る装置の分配弁及び供給弁を示す斜視図。
【図３】本発明の第２実施形態に係る装置１０２を示す側部断面図。
【図４】図３に示す第３実施形態に係る装置の分配弁及び供給弁を示す斜視図。
【図５】図３に示す第３実施形態に係る装置の分配弁及び供給弁を示す斜視図。
【図６】本発明の第３実施形態に係る装置１０３を示す側部断面図。
【図７】本発明の第３実施形態に係る装置を示す正面断面図。
【図８】図６及び７に示す第３実施形態に係る装置の分配弁及び供給弁を示す斜視図。
【図９】図６及び７に示す第３実施形態に係る装置の分配弁及び供給弁を示す斜視図。
【図１０】本発明の第４実施形態に係る装置１０４を示す側部断面図。
【図１１】図１０に示す第４実施形態に係る装置の詳細１２１を示す側部断面図。
【図１２】本発明の第１実施形態に係る装置１０１の空洞１０７と分配開口１０５の重ね合わせを示す部分平面図。
【発明を実施するための形態】
【００１６】
本発明の特徴及び効果は実施形態の詳細な説明を読めば明らかであり、添付図面を参照しつつ説明する。本発明は、これらの実施形態に限定されるものではなく、特に、以下に記載された複数の特徴から選択され、その他の特徴から孤立した特徴を１つしか備えていない本発明の変形例も、（その選択された特徴がその他の複数の特徴を備えた文の中で孤立していたとしても）、その選択された特徴が、技術的な有利性を議論したり、本発明を従来技術と区別するのに十分であるならば、本発明であると見なすことができる。この選択は、構造的な詳細がなくても、或いは、構造的な詳細の一部分しかなくとも、その一部分だけでも、技術的な有利性を議論したり、本発明を従来技術と区別するのに十分であるならば、少なくとも１つの好ましい機能的な特徴を備えているものとみなすことができる。
【００１７】
本発明の第１実施形態に係る流体を計量して分配する装置１０１及びこの装置１０１に関連する分配弁５について、図１及び図２を参照しつつ説明する。
【００１８】
流体（液体及び／又は気体）を計量して分配する装置１０１は、流体を収容するための貯留部２を備えている。
この流体は、液体又は液体と気体の混合物（例えば、泡）又はゲルのいずれかからなる。装置１０１における流体は、液体であることが好ましい。
【００１９】
図１において、貯留部２は、装置の外部へ流体を吐出させるために、手動で圧力を発生させることができる可撓性容器のような変形可能な容器からなる。一般的に、この貯留部２は、チューブ又はピストンの管と同様に液体を吐出させる。
この装置１０１は、分配方向１０に長く延びた、分配方向１０に流体を案内するように配置された（硬質プラスチックで一体成形された）分配管８を備えている。
装置１０１は、貯留部２と分配管８をつなぐ分配開口１０５を備えている。
【００２０】
装置１０１は、分配膜９を備えた分配弁５を備えている。分配弁５は、開いた状態では、貯留部２の内部から分配開口１０５を介して分配管に流体を流れさせ、閉じた状態では、貯留部２の内部から分配開口１０５を介して分配管に流体を流れさせない（分配膜９を押しつけることによって、分配開口を塞ぐように、分配開口１０５に対して平坦になる）。
分配弁５は、また結合部材１１を備えている。
分配膜９は、結合部材１１に対して自由端部１９を備えている。この自由端部１９は、分配弁５がその開いた状態と閉じた状態の間を切り替わるように動くように配置されている。また、この分配膜９は、結合部剤１１に強固に固定された結合部２０を備えており、結合部は、分配弁５が開いた状態と閉じた状態の間で切り替わるときでも動かない。
【００２１】
この分配膜９は、
分配弁５が閉じた状態では、閉位置にあり、
分配弁５が開いた状態では、開位置にあり、
開位置は、（分配方向１０に垂直な）曲げ方向１２０において膜９の自由端部１９が曲がることによって、閉位置とは異なっており、一方、他方の端部２０は結合部材１１によって保持されている。
【００２２】
この装置１０１は、分配弁５（より正確には、分配膜９）に力を作用させるように配置された戻し手段２９を備えており、この力は、分配弁５をその開いた状態から閉じた状態に戻させる（より正確には、分配膜９をその開位置から閉位置に戻させる）。図１に描かれたものの場合、戻し手段２９は膜９に接触し、且つ、強固に固定されている。より正確には、図１に描かれたものの場合、戻し手段は、分配弁５の一部を形成する。
【００２３】
本発明によれば、戻し手段２９は、空洞１０７を形成するポーチ１０６を備えており、このポーチ１０６は、分配管８の内部に設けられており、ポーチ１０６は、分配弁５が開いた状態のときに、分配管の壁１０９に対する圧縮によって変形される。
膜９及びポーチ１０６は、曲げ方向１２０において一列に配列されている。
【００２４】
戻し手段２９は、分配弁５が開いた状態のときに、曲げ方向１２０にポーチ１０６を圧縮することによってポーチ１０６を変形させている間、膜９に力を作用させるように配置されている。
それゆえ、分配弁５の漏れに対する密閉性は従来技術のものに比べて改良されている。実際のところ、不均一な戻し力を発生する（結合部２０よりも自由端部１９側の方が強い）単純な舌状体とは違って、分配弁５の開いた状態のときに、（また、好ましくは閉じた状態のときにも）、ポーチ１０６内の戻し手段２９は、分配管の壁１０９の広い領域を圧迫し（この広い領域は、底１１３と壁１０９の間の接触領域である）、分配開口１０５の外周部１１６において、従来のものよりもより均一な戻し力を発生させることが可能である。
【００２５】
戻し手段２９をポーチ１０６の形態にすることによるその他の顕著な効果は、分配管８中に挿入する際の安定性である。一方、くぼんだ舌の形状による従来の戻し手段は、組み立てるために、分配管中に分配弁を挿入する際に、反転して分配管の内部に突出する虞がある。
【００２６】
分配膜９は、分配開口１０５とポーチ１０６の空洞１０７の間に設けられている。
ポーチ１０６は、空洞１０７の外縁１１２によって境界が定められた開口によって、一方の側にだけ開いた袋状体である。空洞１０７は、分配弁５が開いた状態における容積が、分配弁５が閉じた状態における容積よりも小さい。この容積は、開口の外縁１１２が位置する平面１２２までのポーチ１０６の内側の空洞１０７の容積として定義される。
ポーチ１０６は、外縁１１２（この同一面に含まれている外縁）によって境界が定められた開口によって単一の平面上に開いた袋状体である。
図示されているように、外縁１１２は閉ループ状に形成されている。
【００２７】
分配弁５は、分配管８の２つの内壁の間に挟み込まれることによって、装置に保持されている。より正確には、結合部材１１が、分配管８の２つの内壁によって、分配管８のこれら２つの内壁の間に挟み込まれている。
（図１に描かれているように）閉じた状態では、空洞の外縁１１２は分配管の内壁１０８に対して平坦に押しつけられている。
また、（図１に描かれているように）閉じた状態では、ポーチ１０６の底１１３（空洞１０７の中央に対して空洞の外縁１１２とは反対側に位置していることが好ましい）が、分配管の第２の内壁１０９（分配管８の内壁に関して、第１の内壁１０８の反対側であることが好ましい）に対して静止している。
開いた状態では、空洞１０７の外縁１１２は、分配管の第１の内壁１０８から離れるように動く。
【００２８】
第１の内壁１０８は、分配開口の外周部１１６を備えており、
閉じた状態では、空洞１０７の外縁１１２（図１２においてハッチングを施した部分）が分配開口１０５の外周部１１６の全体に接触し、貯留部２と分配管８との間で流体が流れないように、密封状態で分配開口１０５の外周部１１６の全体を取り囲み、
開いた状態及び閉じた状態では、ポーチ１０６の底１１３は、分配管の第２の内壁１０９に対して又は第２の内壁１０９に沿って設けられた部材に対して静止しており、
開いた状態で、空洞の外縁１１２が分配開口１０５から離れるように動く。
【００２９】
分配弁５が開いた状態のときに、（分配弁５が閉じた状態のときに、すでに分配弁５が受けている圧縮に対してさらに追加で）分配方向１０に垂直に圧縮されることによってポーチ１０６が変形される。
【００３０】
図１において、この装置１０１は、
一般的には、可撓性樹脂フィルム製の包装容器の内側である、流体の主タンク１７と、
タンク１７に直接的に接続され、タンク１７から供給される流体を案内するように構成された供給管６と、
開いた状態では、供給管６から貯留部２の内部に流体を流れさせ、閉じた状態では、流れさせない供給弁４と、
をさらに備えている。
【００３１】
供給弁４及び分配弁５は、結合部材１１によって結合されている。これら２つの供給弁４及び分配弁５及び結合部材１１は、単一の部品１２として一体的に強固に固定されている。この単一の部品１２は、一体成形されている。一般的には、結合部材１１は、ショアＡの硬度７０−８０を有している。
供給弁４は、供給膜７を備えている。供給膜７は、結合部材１１に対して自由端部２１を備えている。この自由端部２１は、供給弁４を開いた状態と閉じた状態に間で切り替えるように動くように配置されており、貯留部２内に設けられている。供給膜７は、また結合部材１１に結合された結合部２２を備えている。この結合部２２は、供給管６内に設けられている。
この装置１０１は、また開口１２５を備えている。開口１２５は、分配管８と供給管６の間に設けられている。（供給膜７の部分が管８中に挿入されることによって装置１０１中に弁４及び５を取り付ける際）この開口１２５は、結合部材１１によって塞がれる。
【００３２】
貯留部２（より正確には、一般的には可撓性樹脂フィルム製のカバー１５）が加圧方向３に押しつけられると、貯留部２の内部に正圧が発生し、
供給弁４（より正確には、自由端部２１）が、貯留部２の内部の底壁１４に対して平坦に押しつけられ、それによって閉じた状態に保持され、
分配弁５（より正確には、自由端部１９）が、分配管８の壁１０８から離れるように動き、それによって開いた状態に保持され、
貯留部２中に貯蔵されていた流体が、加圧方向３に分配弁５を流れ、分配管８を介して分配方向１０に装置１０１から吐出される。
【００３３】
加圧方向３に貯留部２（より正確には、カバー１５）に作用していた圧力が開放されると、貯留部２の内部に負圧が発生し、
供給弁４（より正確には、その自由端部２１）が、貯留部２の内部の底壁１４から離れるように動き、それによって開いた状態に保持され、
分配弁５（より正確には、その自由端部１９）が、分配管８の内壁１０８に対して平坦に押しつけられ、それによって閉じた状態に保持され、
供給管６中に貯蔵されていた流体が、加圧方向に供給開口１２４を介して供給弁４を流れ、それによって貯留部２が、供給管６を介して主タンク１７から供給される流体で再び満たされる。
【００３４】
加圧方向３に貯留部２（より正確には、カバー１５）に圧力が作用していないときは、供給弁４及び分配弁５のいずれも閉じた状態に保持されている。
そのため、貯留部２の圧力の変化が負又は零のときは、分配弁５は閉じた状態にある。
分配弁５が閉じた状態では、ポーチ１０６は、すでにわずかではあるが圧縮されている。このことで、良好な密封性を得ることが可能になる。一方、流体を計量して分配するためには、このわずかな圧縮によりポーチ１０６に作用している力よりも大きな力が、ユーザーによってカバー１５に作用されなければならない。
【００３５】
図３〜５を参照して、本発明の第２実施形態の装置１０２について、第１実施形態の装置１０１との相違点を説明する。
この装置１０２では、分配弁５が開いた状態において、ポーチ１０６の底１１３は、分配管の第２内壁１０９から離れるように動く。
戻し手段２９は、空洞１０７を形成するポーチ１０６を備えており、ポーチ１０６は、分配管８の内部に設けられており、ポーチ１０６は、分配弁５が開いた状態のときに、分配管の内壁１０８に対する圧縮によって変形される。
【００３６】
第２の内壁１０９は、分配開口１０５の外周部１１６を備えており、
開いた状態及び閉じた状態では、空洞１０７の外縁１１２が第１の内壁１０８又は第１の内壁１０８に沿って設けられた部材（例えば、後述するように、分配弁５の一部分を形成する補強部材１１９）と接触し、
閉じた状態では、ポーチ１０６の底１１３が分配開口１０５に対して静止しており、
開いた状態では、ポーチ１０６の底１１３が分配開口１０５から離れるように動く。
【００３７】
不均一な戻し力を発生する（結合部２０よりも自由端部１９側の方が強い）単純な舌状体とは違って、ポーチ１０６の形態による戻し手段２９は、分配弁５が開いた状態のときに（閉じた状態のときにも）、分配管の壁１０８の広い領域を圧迫し（この広い領域は、外縁１１２と壁１０８の間の接触領域である広い領域）、分配開口１０５の外周部１１６において、より均一な戻し力を発生させることが可能である。
【００３８】
図６〜９を参照して、本発明の第３実施形態の装置１０３について、第２実施形態の装置１０２との相違点を説明する。
この実施形態では、分配弁５は分配開口１０５に対してオフセットされている。
第２の内壁１０９には、（分配方向１０において長手方向に延びた）突出部１１４が設けられており、ポーチ１０６の底１１３には突出部１１４と相補的な形状の（分配方向１０において長手方向に延びた）くぼみ１１５が設けられており、閉じた状態ではくぼみが突出部と係合される。
開いた状態では、ポーチ１０６の底１１３は、分配管の第２の内壁１０９から離れるように動き、くぼみ１１５は、装置１０３から中央に集中するように流体を案内すること可能にする。
【００３９】
これらの突出部１１４及びくぼみ１１５は、すでに説明した或いはこれから説明する本発明の他の実施形態にも組み合わせることができる（装置１０１の場合、第１の内壁１０８に突出部１１４を設け、空洞の外縁１１２にくぼみ１１５を設ける。装置１０４の場合、第１の内壁１１０に突出部１１４を設け、ループの第１の側１１７にくぼみ１１５を設ける）。
【００４０】
図９を参照して、外縁１１２には、内壁１０８に接触するシールが取り付けられている。このシールの利点は、空洞１０７とポーチ１０６の外側との間に如何なる流体の通路又は孔を形成することなく、密封という形でポーチ１０６を完全に塞ぐことにある。このことは、温度の作用としてポーチ１０６によって形成された「ばね」の硬さの変化を制限する点において特に有効である。実際のところ、温度が上昇すると、（ポーチ１０６によって形成される「ばね」の硬度の低下をもたらす）ポーチ１０６の樹脂又はエラストマーの硬度が低下するけれども、ポーチ１０６の空洞１０７中に封入された空気又はガスが膨張し、（ポーチ１０６によって形成される「ばね」の硬度の増大をもたらす）ポーチ１０６内の圧力が増加し、２つの現象が互いに部分的に相殺される。
【００４１】
ポーチ１０６は、ポーチ１０６のいずれの部分よりも固く、分配方向に延びた（ポーチ１０６の（分配方向１０に定義された）全長に亘ることが好ましい）補強部材１１９に強固に固定されている。この補強部材１１９は、すでに説明した或いはこれから説明する本発明の他の実施形態の装置１０１、１０２、１０３、１０４とも組み合わせることができ、本発明に係る装置を組み立てる際に、分配管８の内側に分配弁５を挿入することを容易にすることができる。
【００４２】
図１０及び１１を参照して、本発明の第４実施形態の装置１０４について、第１実施形態の装置１０１との相違点を説明する。
分配弁５において、ポーチ１０６は、平面（図１１の平面は、分配方向１０及び分配管８の長手方向と平行である）において、その内側に空洞１０７の境界が定められた閉ループを形成し、
閉じた状態では、ループの第１の側１１７が分配管の第１の内壁１１０に対して平坦に押しつけられており、
開いた状態及び閉じた状態では、ループの第２の側１１８（空洞１０７の中央に対してループの第１の側とは反対側に位置することが好ましい）が、分配管の第２の内壁１１１（分配管８の内部に対して第１の内壁とは反対側であることが好ましい）又は第２の内壁１１１に沿って設けられた部材（例えば、上記分配弁５の一部を成す補強部材１１９など）に対して静止しており、
開いた状態では、ループの第１の側１１７は、分配管の第１の内壁１１０から離れるように動く。
【００４３】
第１の内壁１１０は、分配開口１０５の外周部１１６を備えており、
閉じた状態では、ループの第１の側１１７が、貯留部２と分配管の間に流体が流れないように、密閉した状態で分配開口１０５に対して平坦に押しつけられており、
開いた状態では、ループの第１の側１１７が、貯留部２と分配管の間に流体が流れるように、密閉した状態で分配開口１０５から離れるように動く。
この装置１０４は、供給弁４を備えていない。
【００４４】
分配弁５を管８に挿入することを容易にするために、（結合部材１１を押すために）、分配弁５には、弁５と分配管８の内壁との間に工具を差し込むために、工具が分配管８を貫通することを可能にする孔を設けてもよい。
【００４５】
（歯磨き粉のチューブのように）貯留部２が圧迫されると、貯留部２の内部に正圧が発生し、分配弁５が分配開口１０５から離れるように動く。
【００４６】
この装置１０４のポーチ１０６は、例えば、図１１の平面の前及び後ろのいずれかが開いてもよいし、あるいは、ポーチ１０６は、空洞１０７とポーチ１０６の外側との間に流体の流路又は如何なる孔も無いように完全に閉じられた袋状体であってもよい。このことは、温度の作用としてポーチ１０６によって形成された「ばね」の硬さの変化を制限する点において特に有効である。実際のところ、温度が上昇すると、（ポーチ１０６によって形成される「ばね」の硬度の低下をもたらす）ポーチ１０６の樹脂又はエラストマーの硬度が低下するけれども、ポーチ１０６の空洞１０７中に封入された空気又はガスが膨張し、（ポーチ１０６によって形成される「ばね」の硬度の増大をもたらす）ポーチ１０６内の圧力が増加し、２つの現象が互いに部分的に相殺される。
【００４７】
変形例として、各装置１０１、１０２、１０３の分配弁５のポーチ１０６を完全な密閉状態、すなわち、外縁１１２によって境界が定められた開口無しにすることも可能である。
また、変形例として、第３実施形態の装置１０３のように、装置１０４の分配弁５を分配開口１０５に対してオフセットさせてもよい。
上記のように、第１乃至第３実施形態のように、装置１０４の分配弁５に、供給弁４を強固に固定するようにしてもよい。
【００４８】
一般的に、異なる実施形態に係る装置１０１、１０２、１０３、１０４の各分配弁５は、その空洞１０７の内部に、追加のばね効果を付与する折り曲げられた羽根１２３を備えていてもよい。この折り曲げられた羽根１２３は、金属製であることが好ましい。また、この折り曲げられた羽根１２３は、Ｕ状に折り曲げられていることが好ましい。
【００４９】
一般的に、異なる実施形態に係る装置１０１、１０２、１０３、１０４の各分配弁５は、図６及び図１１に示すように、装置の外部に対する分配管８の吐出口と面一となるように配置されていてもよい。このようにすれば、２回の流体の分配動作の間に流体が付着して乾燥する領域を無くすことができる。
【００５０】
上記の実施形態の図面における方向３と１２０は同じである。
また、上記の実施形態の図面において、分配弁は、その閉じた状態において、分配管８の内壁の（分配座と呼ばれる）部分に対して平坦に押しつけられて保持されている。より正確には、分配弁は、（好ましくは平坦な）膜９又は１１７を備えており、分配弁が閉じた状態では、これらは、分配管８の内壁の（分配座と呼ばれる）部分に対して平坦に押しつけられて保持されている。分配座は、分配管８の側部にあり、すなわち、この座は１つに限られ、好ましくは平坦であり、分配管８に対向し、諸般を考慮すると、分配方向１０又は管８の長手方向に垂直な面において切断された分配管８の断面までは達していない。
【００５１】
また、上記の実施形態の図面において、分配弁は、その開いた状態において、分配管８の側壁に対して分配弁を平坦に押しつけるように、分配方向１０又は管８の長手方向に垂直に圧縮されることによって（引っ張りではない）、閉じた状態に変形される。
図１〜９に示す実施形態において、分配弁（より正確には、膜９）は、開いた状態において、加圧方向３に平行に圧縮されることによって（引っ張りではない）、閉じた状態に変形される。
【００５２】
上記の全ての実施形態の図面において、
ポーチの空洞の厚さ（膜９及び１１７の下であって、図１、３、６、７及び１１における平面における垂直方向、すなわち、分配方向１０及び管８の長手方向に垂直で、方向１２０に対して平行な面における、空洞の内側の測定された空洞の最大寸法）は、おおよそ０．２ｍｍから１．２ｍｍの範囲内に含まれ、
ポーチの幅（図１、３、６及び１１における平面に垂直方向、すなわち、分配方向１０及び管８の長手方向に垂直で、方向１２０に対しても垂直な面における、空洞の外側の測定されたポーチの最大寸法）は、２ｍｍ以下、好ましくは１ｍｍ以下である。
【００５３】
上記の実施形態において、ポーチは薄く、可撓性を有している。そのため、ポーチは、分配弁が開いた状態において、完全には開かないように配置されている。そして、ポーチは、可撓性を有する膜（具体的には９又は１１７）が平坦に押しつけられるように、（図１〜５及び１０〜１２の場合）（直接的に又は何かを介して）貯留部を分配管８に接続する開口１０５に対して、又は、（図６〜９の場合）分配管８の一部分に対して、存在している。
【００５４】
図６〜１１の場合、ポーチ（より正確には、膜９又は１１７）は、分配方向１０及び管８の長手方向に延びる２本の線に沿って分配管８の上側の壁に対して平坦に押しつけられ、（分配弁が開いた状態のときに）膜９又は１１７が開くとき、膜９又は１１７は、これら２本の支持線の間に開き、突形状にはなるけれども、分配管８の上側の壁に対して膜９又は１１７のこれら２本の支持線は維持される。
【００５５】
図６〜９の場合、分配弁の一部分１１９は、漏れに対する密封性を発揮するために、管８の内に挟み込まれて組み立てられ、挟み込み力は膜９の中心に向かって低下する。残りの部分では、膜９は、漏れに対する良好な密封性を可能にするために、常時管８に接触している。膜９が開いているとき（すなわち、分配弁が開いた状態では）、膜９は、その座に対して部分的に離れているにすぎない。
膜９、１１７は、ショアＡの硬度７０−８５の範囲、好ましくはショアＡの硬度９５以下の硬度を有することが好ましい。
【００５６】
ユーザーによるわずかな圧力によって、ポーチ／膜をわずかに変形させることができ、それによって、製品の吐出量を正確に制御することができ、一滴又はそれ以下の軽量及び分配が可能である。
【００５７】
勿論、本発明は上記の説明に限定されるものではなく、本発明の範囲を超えることなく、これらの実施形態を様々に修正することができる。
上記各実施形態の変形例として、膜９は、底１１３又は外縁１１２の部分だけを薄くすることも可能である。
また、上記各実施形態の変形例として、分配管８の断面は必ずしも矩形でなくてもよい。
例えば、上記各実施形態の変形例として、供給弁４及び分配弁５は、本発明の範囲を超えることなく、隙間を空けて配置することができ、一体的に強固に固定されていなくてもよい。上記実施形態では、分配弁５は結合部材１１に強固に固定されていたが、結合部材１１を必要とすることなく、分配弁４と強固に固定されていてもよい。また、供給弁４は、その他の手段、例えば挟み込み手段によって固定されていてもよい。
また、上記各実施形態の変形例として、供給弁４を省略してもよい。
さらに、上記各実施形態の変形例として、本発明に係る装置は、（例えば、複数種類の流体を計量して分配するために）、複数の分配弁及び供給弁を備えていてもよい。
勿論、本発明の異なった特徴、形状、変形例及び実施形態を互いに組み合わせることができる。
【図１】
0006596018.tif 000002
【図２】
0006596018.tif 000003
【図３】
0006596018.tif 000004
【図４】
0006596018.tif 000005
【図５】
0006596018.tif 000006
【図６】
0006596018.tif 000007
【図７】
0006596018.tif 000008
【図８】
0006596018.tif 000009
【図９】
0006596018.tif 000010
【図１０】
0006596018.tif 000011
【図１１】
0006596018.tif 000012
【図１２】
0006596018.tif 000013